(57)【要約】      （修正有）【課題】装置の構成部品点数を低減し、かつ、組み立て作業を単純化すること。【解決手段】配電盤用キャビネット内の、コンパートメントを仕切ってバスバー２０４を支持する装置の特定の構造によって、上述の問題点が回避でき、全システムは融通性を有し、操作が容易になる。バスバーを支持する機能とコンパートメントを仕切る機能の両方を、１つの同じ本体内で結合し、それによって、配電盤内にバスバーアセンブリを支持するために必要な、そして、バスバーコンパートメントと装置コンパートメント間に仕切りを造るために必要な構成部品の数を著しく減少させる。【選択図】図１２
2019050721.tif 000002
【特許請求の範囲】
【請求項１】
垂直支柱と水平横桟を有する支持構造を備え、１つ以上のバスバーと１つ以上の電気装置を収容する低電圧配電盤用キャビネットのための、コンパートメントを仕切ってバスバーを支持する装置であって、前記コンパートメントを仕切ってバスバーを支持する装置は、前記バスバーの１つ以上と結合するように構成された第１表面と、前記電気装置の１つ以上と結合するように構成された第２表面とを有する長方形の絶縁本体を備え、前記第１表面および第２表面は、互いに平行で低電圧配電盤の支持構造の垂直支柱又は水平横桟の一方に結合するように構成された第１対向面および第２対向面と、互いに平行で第１対向面および第２対向面に直交し第３対向面および第４対向面に対応して複数の、コンパートメントを仕切ってバスバーを支持する装置を垂直に積み重ねるように構成された第３対向面および第４対向面とによって範囲が定められ、前記第１表面は、互いに対向してバスバー用の保持スペースを形成する第１保持手段および第２保持手段の複数の保持対を備え、ある特定のバスバー用の保持対は前記第１対向面および第２対向面に平行な方向に整列され、別のバスバー用の保持対は第３対向面および第４対向面に平行な方向に間隔を有し、前記第２表面は前記電気装置と前記バスバーとの間に接続手段を、コンパートメントを仕切ってバスバーを支持する装置を介して挿入できるように構成された複数の開口を備えることを特徴とする装置。
【請求項２】
前記第１対向面および第２対向面に平行な方向に沿って間隔を有する複数の保持対を、特定のバスバーのために備えることを特徴とする請求項１記載の装置。
【請求項３】
前記保持対の前記第１保持手段および第２保持手段は、それぞれ、互いに対向する第１保持面および第２保持面を有し、バスバー用の前記保持スペースを形成することを特徴とする請求項１又は２記載の装置。
【請求項４】
前記第１保持面および第２保持面は、前記第１保持面および第２保持面と、前記バスバーの表面との間の機械的な干渉によって、対応するバスバーを適所に支持して保持するように構成されたことを特徴とする請求項３に記載の装置。
【請求項５】
前記バスバー間に絶縁分離体を固定する複数の固定手段を備えることを特徴とする請求項１〜４のいずれか１つに記載の装置。
【請求項６】
前記固定手段は、前記第１対向面および第２対向面に平行な方向に沿って間隔を有する複数の固定歯を備えることを特徴とする請求項５に記載の装置。
【請求項７】
前記複数の開口の少なくともいくつかは、前記絶縁本体の前記第２表面から突出する隆起エッジを備えることを特徴とする請求項１〜６のいずれか１つに記載の装置。
【請求項８】
前記絶縁本体の前記第１対向面および第２対向面は、前記低電圧配電盤の前記支持構造の前記垂直支柱又は水平横桟の一方を有する瞬間結合手段を備えることを特徴とする請求項１〜７のいずれか１つに記載の装置。
【請求項９】
前記瞬間結合手段は、前記低電圧配電盤の前記支持構造の前記垂直支柱又は水平横桟の一方の対応スロットに係合するように構成された形状を有する突出部を備えることを特徴とする請求項８に記載の装置。
【請求項１０】
前記絶縁本体は、前記絶縁本体の前記第３対向面沿って間隔を有し、かつ、コンパートメントを仕切ってバスバーを支持する装置が前記低電圧配電盤の頂上部又は底部に搭載されるときに対応バスバーを保護するように構成された複数の保護タブを備えることを特徴とする請求項１〜９のいずれか１つに記載の装置。
【請求項１１】
垂直支柱と水平横桟とを有し、１つ以上のバスバーと１つ以上の電気装置とを収容するように構成された支持構造を備える低電圧配電盤であって、請求項１〜１０のいずれか１つに記載の１つ以上の、コンパートメントを仕切ってバスバーを支持する装置を備えることを特徴とする低電圧配電盤。
【請求項１２】
互いに垂直に積み重ねられた請求項１〜１０のいずれか１つに記載の複数の、コンパートメントを仕切ってバスバーを支持する装置から作られた連続仕切り壁によって分離されたバスバーコンパートメントと装置コンパートメントを備えることを特徴とする請求項１１記載の低電圧配電盤。
【請求項１３】
前記低電圧配電盤の頂上部又は底部にそれぞれ設置される請求項１〜１０のいずれか１つに記載の少なくとも第１の、コンパートメントを仕切ってバスバーを支持する装置および第２の、コンパートメントを仕切ってバスバーを支持する装置を備えることを特徴とする請求項１１又は１２に記載の低電圧配電盤。
【請求項１４】
請求項１〜１０のいずれか１つに記載の複数の、コンパートメントを仕切ってバスバーを支持する装置を、垂直方向に間隔を開けて有する壁を備えることを特徴とする請求項１１〜１３のいずれか１つに記載の低電圧配電盤。
【請求項１５】
前記バスバーコンパートメントは、前記連続仕切り壁に対向する裏壁を備え、前記裏壁は、請求項１〜１０のいずれか１つに記載の複数の、コンパートメントを仕切ってバスバーを支持する装置を垂直方向に間隔を有して備えることを特徴とする請求項１２に記載の低電圧配電盤。
【発明の詳細な説明】
【技術分野】
【０００１】
この発明は、配電盤用、特に低電圧配電盤用キャビネット内の、コンパートメントを仕切ってバスバーを支持する装置に関し、前記装置は改良された機能と特性を有する。
【背景技術】
【０００２】
一般的に、低電圧配電盤用のキャビネットは、配電盤を構成する部品の機能的な要求及び設置上の要求に合うように設計され、製作される。実際に知られていることであるが、配電盤は互いに平行な金属バーのシステムを使用し、そのバーの各々は電源システムの対応する極性や位相に接続される。キャビネットの内部では、それらのバーは、配電盤に用いられる装置、例えば、サーキットブレーカー、スイッチ、押しボタン、制御装置、及び類似の装置に電気的に接続されると共に、適当な絶縁体と支持装置に幾何学的に結合される。バーと装置との間の接続部は、例えば、プレートのような、装置のタイプ応じて適当に成形された適切な導電体によって形成される。
【０００３】
バスバー支持装置は、バーを互いに電気的に絶縁することに加えて、バーをキャビネットの構造体に接続させる。この方法においては、バーにおいて電流の流れによって生じる動電気力のストレスはすべて、キャビネットの構造体に放出に放出されるので、その構造体は十分な構造的強度特性を備えなければならない。さらに、電気機器は１つ以上の固定ガイド上に配置され、その固定ガイドはキャビネットのフレームに、直接又は追加の接続部品を用いて接続される。
【０００４】
配電盤のキャビネットの内部では、バーが意図的に設計された装置に幾何学的に結合されるが、その装置はバーを支持し、バーを互いに絶縁し、キャビネットの耐久性のあるフレームにバーを接続することができる。この方法では、通常の構造的な支持体に加えて前記の装置も、バーの電流によって生じる動電気力のストレスがフレーム上に放出されるようにできる。
【０００５】
前記の装置が収容される配電盤の前側の容積からバスバーを安全上の理由で分離しておくために、通常、配電盤内に絶縁性の仕切りが設けられる。
【発明の概要】
【発明が解決しようとする課題】
【０００６】
技術の現状では、既知のタイプの支持装置を用いることは、バスバーを支持し、バスバーコンパートメントと装置コンパートメント間の絶縁性仕切りを造るために必要な構成部品の数と種類を考慮すると、いくつかの欠点を有する。
【０００７】
実際、図１を参照すると、従来の配電盤１００は通常、垂直支柱１０３によって構造的に接続される基部１０１と頂上部１０２を有する支持構造２０１を備える。多くのプレート１０４が、配電盤１００の前側に設置されたバスバーコンパートメントと装置コンパートメント１０５間の仕切りを造るために配電盤１００内に設けられている。
【０００８】
図２を参照すると、種々のバスバー１０６が、前方搭載ブラケット１０８に固定された多数の前方支持体１０７と、後方搭載ブラケット１１０に固定された多数の後方支持体１０９とによって、種々の高さに支持されている。後方支持体１０９が通常、前方支持体１０７に対して異なる形状と寸法を有することは、注目に値する。
【０００９】
プレート１０４、前方搭載ブラケット１０８、及び後方搭載ブラケット１１０は、多数のねじ１１１によって配電盤１００の支持構造に固定されている。
【００１０】
現状の対応策は、それが固定用のねじ手段を必要とする非常に多数の構造的構成部品（例えば、プレート１０４、前方支持体１０７、対応する前方搭載ブラケット１０８、後方支持体１０９、及び対応する後方搭載ブラケット１１０）の使用を含む限りでは、製造コストや製造時間、さらに組み立ての時間と困難性が結果的に増大することと共に、明らかに不利益であるということは、上記から明白である。
【００１１】
その上、バスバー１０６の先端と底端を固定して絶縁するためのさらなる装置が必要とされ、それによって構造的な構成部品の数がさらに増加し、結果的に構造的な複雑性と、製造および組み立てコストと時間による欠点につながる。
【００１２】
バスバー１０６が垂直方向に沿った不連続点においてのみ（つまり、連続的でなく）前方支持体１０７と後方支持体１０９によって支持され、それによって、バスバー１０６が動電気力のストレス、特に短絡状態におけるストレスに耐えることが難しくなるという事実によって、さらなる問題が生じる。そのような問題は、バスバー１０６の垂直方向に沿って互いに狭い間隔を有する多数の前方支持体１０７と後方支持体１０９を用いることによって部分的にのみ解決できるが、そのような解決策はさらに構成部品の数を増大させ、配電盤１００へのバスバー１０６の組み立て作業を複雑にする。
【００１３】
従って、この発明は、配電盤、特に低電圧配電盤用のキャビネット内でコンパートメントを仕切ってバスバーを支持する装置を提供して、上述の欠点の少なくともいくつかを克服することを目的とする。
【００１４】
特に、この発明は、配電盤内にバスバーアセンブリを固定するために必要な構成部品の数を減らすことが可能な、配電盤用の、特に低電圧配電盤用のキャビネット内でコンパートメントを仕切ってバスバーを支持する装置を提供することを目的とする。
【００１５】
さらに、この発明は、低電圧配電盤におけるバスバーコンパートメントと装置コンパートメント間の必要な絶縁と仕切りを維持することが可能な、配電盤用の、特に低電圧配電盤用のキャビネット内の、コンパートメントを仕切ってバスバーを支持する装置を提供することを目的とする。
【００１６】
それに加えて、この発明は、短絡状態及び／又は内部電弧（アーク）状態においてでさえも、バスバーアセンブリが動電気力のストレスに耐えることが可能な、配電盤用の、特に低電圧配電盤用のキャビネット内でコンパートメントを仕切ってバスバーを支持する装置を提供することを目的とする。
【００１７】
また、この発明は、信頼性があり、競争力のある価格で製造することが比較的容易である、配電盤用の、特に低電圧配電盤用のキャビネット内でコンパートメントを仕切ってバスバーを支持する装置を提供することを目的とする。
【課題を解決するための手段】
【００１８】
従って、この発明は、垂直支柱と水平横桟を有する支持構造を備え、１つ以上のバスバーと１つ以上の電気機器を収容する低電圧配電盤用キャビネットのための、コンパートメントを仕切ってバスバーを支持する装置に関する。この発明の、コンパートメントを仕切ってバスバーを支持する装置は、前記バスバーの１つ以上と結合するように構成された第１表面と、前記電気装置の１つ以上と結合するように構成された第２表面とを有する長方形の絶縁本体を備え、前記第１表面および第２表面は、互いに平行で低電圧配電盤の支持構造の垂直支柱又は水平横桟の一方に結合するように構成された第１対向面および第２対向面と、互いに平行で第１対向面および第２対向面に直交し第３対向面および第４対向面に対応して複数のコンパートメントを仕切ってバスバーを支持する装置を垂直に積み重ねるように構成された第３対向面および第４対向面とによって範囲が定められ、前記第１表面は、互いに対向してバスバー用の保持スペースを形成する第１保持手段および第２保持手段の複数の保持対を備え、特定のバスバー用の保持対は前記第１対向面および第２対向面に平行な方向に整列され、別のバスバー用の保持対は第３対向面および第４対向面に平行な方向に間隔を有し、前記第２表面は前記電気装置と前記バスバーとの間に接続手段を、コンパートメントを仕切ってバスバーを支持する装置を介して挿入できるように構成された複数の開口を備えることを特徴とする。
【発明の効果】
【００１９】
次の記述においてさらに詳しく説明するように、この発明の配電盤用キャビネット内の、コンパートメントを仕切ってバスバーを支持する装置の特定の構造によって、上述の問題点が回避でき、全システムは融通性を有し、操作が容易になる。
【００２０】
実際、この発明の装置は、バスバーを支持する機能とコンパートメントを仕切る機能の両方を、１つの同じ本体内で結合し、それによって、配電盤内にバスバーアセンブリを支持するために必要な、そして、バスバーコンパートメントと装置コンパートメント間に仕切りを造るために必要な構成部品の数を著しく減少させる。
【００２１】
次の記述において、さらに詳しく説明するように、絶縁本体の第１表面に設けられた第１および第２保持手段の複数の保持対は、短絡状態及び／又は内部電弧（アーク）状態による強い動電気力のストレスが存在しても、バスバーアセンブリを適所に支持して保持することができる。
【００２２】
さらに、この発明による複数の、コンパートメントを仕切ってバスバーを支持する装置を、適当に垂直に積み重ねることによって、低電圧配電盤内でバスバーコンパートメントと装置コンパートメント間に、効果的な絶縁性の仕切り壁を造ることができる。
【００２３】
低電圧配電盤の垂直支柱又は水平横桟の一方によって絶縁本体の第１および第２対向面を結合することにより、ねじ手段のような比較的扱いにくく時間のかかる固定手段の使用を避けることができる。
【００２４】
さらなる利点として、この発明の、コンパートメントを仕切ってバスバーを支持する装置は、垂直方向のみならず水平方向においても、バスバーを支持してバスバーコンパートメントの範囲を定めるために使用できるが、それは、コンパートメントを仕切ってバスバーを支持する装置が、低電圧配電盤の頂上部及び／又は底部に対応して水平に設置されて、バスバーコンパートメントのバスバー用の、支持して絶縁する「屋根」と「床」を形成できるからである。
【００２５】
好ましくは、この発明による、コンパートメントを仕切ってバスバーを支持する装置は、所定のバスバー用に、第１および第２対向面に平行な方向に沿って間隔を有する複数の保持対を都合よく備える。この方法では、与えられたバスバーの頂上部から底部まで連続する支持部材に関して、バスバーの効果的な支持機能を、材料と関連コスト著しく節約して実現できる。
【００２６】
例えば、前記保持対の第１および第２保持手段はそれぞれ、バスバー用の保持スペースを形成するように互いに対向する第１および第２保持面を有する第１および第２保持歯を備えることができる。
【００２７】
そのような場合、この発明による、コンパートメントを仕切ってバスバーを支持する装置の好ましい実施形態において、前記第１および第２保持面は、前記第１および第２保持面とバスバーとの機械的な衝突によって、対応するバスバーを適所に支持して保持するように構成されている。
【００２８】
換言すれば、この実施形態によると、第１および第２保持歯の第１および第２保持面は、その間に挿入されるバスバーの表面と保持面との間に、バスバーを適所に支持して保持するに十分な機械的摩擦力を生じるように成形される。さらに、第１および第２保持歯の第１および第２保持面は、種々の寸法のバスバーを収容できるように成形でき、それによって、この発明の、コンパートメントを仕切ってバスバーを支持する装置の適用の融通性が増大する。
【００２９】
この発明による、コンパートメントを仕切ってバスバーを支持する装置の特に好ましい実施形態において、絶縁本体の第１表面は、バスバー間に絶縁分離体を固定する複数の固定手段を備える。この方法では、位相間の絶縁性を改良し、配電盤が内部の電弧（アーク）現象に耐え得るようにさせることができる。
【００３０】
そのような場合には、例えば、前記固定手段は第１および第２対向面に平行な方向に沿って間隔を有する複数の固定歯を都合よく備える。この方法では、異なる位相間に、つまり、異なるバスバー間に絶縁材料の分離壁を造ることができる。
【００３１】
この発明による、コンパートメントを仕切ってバスバーを支持する装置の極めて好ましい実施形態において、前記複数の開口の少なくともいくつか、好ましくは、全ては、絶縁本体の第２表面から突出する隆起エッジを備える。この方法では、電気機器とバスバーを接続する手段、例えばクランプ、を引き抜く時に位相間の空気間隙を増大することと、配電盤の電気的に生きている部品間のIP20保護を達成することが可能である。
【００３２】
前述のように、この発明による、コンパートメントを仕切ってバスバーを支持する装置の利点の１つは、先行技術の色々な装置に通常用いられる大量のねじを必要としないという事実によって与えられる。従って、この発明による、コンパートメントを仕切ってバスバーを支持する装置の極めて好ましい実施形態において、絶縁本体の第１および第２対向面は、低電圧配電盤の支持構造の垂直支柱又は水平横桟を有する瞬時結合手段を、都合よく備える。
【００３３】
例えば、前記瞬時結合手段は、成形された突出部を都合よく備えることができるが、その突出部は、低電圧配電盤の支持構造の垂直支柱又は水平横桟の一方の対応スロットに係合するように構成され、それによって、その装置を適当な垂直又は水平位置に迅速に固定する。
【００３４】
この発明による、コンパートメントを仕切ってバスバーを支持する装置の代表的な実施形態において、絶縁本体は複数の保護タブを備えるが、それらの保護タブは、絶縁本体の第３側面に沿って間隔を有し、コンパートメントを仕切ってバスバーを支持する装置が低電圧配電盤の頂上部又は底部に搭載されるとき、対応するバスバーを保護するように構成されている。
【００３５】
換言すれば、この発明の、コンパートメントを仕切ってバスバーを支持する装置が配電盤の頂上部又は底部に対応して水平に搭載されるとき、前記タブはそれぞれ、対応するバスバーの先端の上方又は基端の下方へ突出し、それによって、それが不要に接触することを防止する。
【００３６】
別の観点から、この発明はまた、支持構造、垂直支柱、及び水平横桟を備え、１つ以上のバスバーと１つ以上の電気機器を収容するように構成された低電圧配電盤に関し、その低電圧配電盤は以下に詳述するような１つ以上の、コンパートメントを仕切ってバスバーを支持する装置を備えることを特徴とする。
【００３７】
一般的に、この発明による低電圧配電盤は、バスバーコンパートメント（通常、複数の垂直に配列されたバスバーを収容する）と、装置コンパートメント（通常、サーキットブレーカー、スイッチ、押しボタン、制御装置、及び類似の装置のような１つ以上の電気機器を収容する）とを備える。バスバーコンパートメントと装置コンパートメントとは、連続する仕切り壁によって分離されるが、その仕切り壁は、この明細書で述べるように、互いに垂直に積み重ねられた複数の、コンパートメントを仕切ってバスバーを支持する装置、から作られる。
【００３８】
さらに、この発明による低電圧配電盤は、以下にのべる少なくとも第１と第２の、コンパートメントを仕切ってバスバーを支持する装置を、都合よく備えることができ、それら第１と第２の装置は各々、低電圧配電盤の頂上部又は底部に設置され、バスバーの上端と下端を適所に支持して保持する。
【００３９】
好ましくは、この発明による低電圧配電盤は、以下に述べるように、垂直方向に間隔を開けた複数の、コンパートメントを仕切ってバスバーを支持する装置、を有する壁、通常はバスバーコンパートメントの裏壁を、都合よく備える。実際、バスバーコンパートメントの裏壁は、バスバーコンパートメントと装置コンパートメント間の仕切り壁のように、コンパートメントを仕切ってバスバーを支持する装置、によって完全に閉じられずに部分的に開いており、そのような裏壁に使用される、コンパートメントを仕切ってバスバーを支持する装置の数は、配電盤の定格Icwに依存する。
【００４０】
実際、この発明による低電圧配電盤の代表的な実施形態において、バスバーコンパートメントは、互いにぴったりと積み重ねられた複数の、コンパートメントを仕切ってバスバーを支持する装置、から作られた連続する仕切り壁と、前記連続する仕切り壁に対向する裏壁とを備え、前記裏壁は複数の、コンパートメントを仕切ってバスバーを支持する装置を、垂直方向に間隔を有して備える。
【００４１】
この発明のさらなる特徴と利点は、添付図面に実例によって示された、この発明による、コンパートメントを仕切ってバスバーを支持する装置の、及び複数のそのような装置を備える低電圧配電盤の、好ましいが排他的でない実施形態の記載から、さらに明らかになる。
【図面の簡単な説明】
【００４２】
【図１】先行技術による低電圧配電盤の斜視図である。
【図２】先行技術による支持装置及び仕切り板の構成部品の分解斜視図である。
【図３】この発明による低電圧配電盤用キャビネットのための、コンパートメントを仕切ってバスバーを支持する装置の第１実施形態の第１斜視図である。
【図４】この発明による低電圧配電盤用キャビネットのための、コンパートメントを仕切ってバスバーを支持する装置の第１実施形態の第２斜視図である。
【図５】この発明による低電圧配電盤用キャビネットのための、コンパートメントを仕切ってバスバーを支持する装置の第２実施形態の第１斜視図である。
【図６】この発明による低電圧配電盤用キャビネットのための、コンパートメントを仕切ってバスバーを支持する装置の第２実施形態の第２斜視図である。
【図７】図３と４に示された、この発明による低電圧配電盤用キャビネットのための、コンパートメントを仕切ってバスバーを支持する装置の第１実施形態に装備された第１バスバーアセンブリの第１斜視図である。
【図８】図３と４に示された、この発明による低電圧配電盤用キャビネットのための、コンパートメントを仕切ってバスバーを支持する装置の第１実施形態に装備された第１バスバーアセンブリの第２斜視図である。
【図９】図７と８に示される第１バスバーアセンブリの頂上部分の詳細斜視図である。
【図１０】図７と８に示される第１バスバーアセンブリの底部分の詳細斜視図である。
【図１１】図３と４に示された、この発明による低電圧配電盤用キャビネットのための、コンパートメントを仕切ってバスバーを支持する装置の第１実施形態に装備された第２バスバーアセンブリの第１斜視図である。
【図１２】図３と４に示された、この発明による低電圧配電盤用キャビネットのための、コンパートメントを仕切ってバスバーを支持する装置の第１実施形態に装備された第２バスバーアセンブリの第２斜視図である。
【図１３】図３と４に示された、この発明による低電圧配電盤用キャビネットのための、コンパートメントを仕切ってバスバーを支持する装置の第１実施形態に装備された低電圧配電盤の、前扉を除去した斜視図である。
【図１４】図３と４に示された、この発明による低電圧配電盤用キャビネットのための、コンパートメントを仕切ってバスバーを支持する装置の第１実施形態に装備された低電圧配電盤の、前扉を備えた斜視図である。
【図１５】この発明による低電圧配電盤用キャビネットのための、コンパートメントを仕切ってバスバーを支持する装置の第１実施形態に装備された低電圧配電盤のいくつかの構成部品の分解斜視図である。
【発明を実施するための形態】
【００４３】
添付図を参照すると、この発明のコンパートメントを仕切ってバスバーを支持する装置１,２（図３〜６）は、低電圧配電盤２００（図１３）用のキャビネットに用いられるように構成され、低電圧配電盤２００は垂直支柱２０２（図１３,１５）と水平横桟２０３（図１５）を有し、かつ、１つ以上のバスバー２０４（図１０,１２,１５）と１つ以上の電気装置２０５（図１３）を収容する支持構造２０１（図１３）を備える。
【００４４】
図３〜６を参照して、さらに全般的に説明すると、この発明のコンパートメントを仕切ってバスバーを支持する装置１，２は、ほぼ長方形の形状を有する絶縁本体３,４（図３,５）を備える。図３と４の実施形態において、コンパートメントを仕切ってバスバーを支持する装置１は、５０mmの間隔を有するバスバーと共に用いられるようになっており、一方、図５と６の実施形態においては、コンパートメントを仕切ってバスバーを支持する装置２は、１８５mmの間隔を有するバスバーと共に用いられるようになっている。いずれの場合も、本質的な技術的特徴は同じであり、この２つの実施形態は共に以下に詳述される。
【００４５】
コンパートメントを仕切ってバスバーを支持する装置１,２の絶縁本体３,４は、第１表面１１,２１と第２表面１２,２２とを備え、第１表面１１,２１は低電圧配電盤２００内の１つ以上の垂直に搭載されたバスバー２０４に結合するように構成され、第２表面１２,２２は低電圧配電盤２００内に収容された１つ以上の電気装置２０５に結合するように構成されている。
【００４６】
絶縁本体３,４の第１表面１１，２１および第２表面１２，２２は、第１対向面３１，４１および第２対向面３２，４２によって範囲が定められるが、以下に詳述するように、第１対向面３１，４１および第２対向面３２，４２は互いにほぼ平行で、低電圧配電盤２００の支持構造２０１の垂直支柱２０２又は水平横桟２０３の一方に結合するように構成されている。
【００４７】
絶縁本体３,４の第１表面１１,２１および第２表面１２,２２もまた、第３対向面３３,４３および第４対向面３４,４４によって範囲が定められるが、第３対向面３３,４３および第４対向面３４,４４は互いにほぼ平行で、第１対向面３１,４１および第２対向面３２,４２に直交している。第３対向面３３，４３および第４対向面３４，４４は、第３対向面３３，４３および第４対向面３４，４４に対応して、複数のコンパートメントを仕切ってバスバーを支持する装置１，２を垂直に積み重ねることができるように構成されている。換言すれば、複数の絶縁本体３,４は、以下に詳述するように、第３対向面３３，４３および第４対向面３４，４４に対応して互いに積み重ねられて連続した壁を造ることができる。
【００４８】
この発明のコンパートメントを仕切ってバスバーを支持する装置１，２の他の特徴の１つは、第１表面１１，２１が互いに対向してバスバー２０４用の保持スペース５３,６３を形成する第１保持手段５１,６１および第２保持手段５２,６２の複数の保持対５,６を備えるという事実によって与えられる。
【００４９】
添付図に明確に示すように、特定のバスバー２０４用の保持対５は第１対向面３１，４１および第２対向面３２，４２に平行な方向に整列され、別のバスバー２０４用の保持対５,６は第３対向面３３，４３および第４対向面３４，４４に平行な方向に間隔を有する。実際、図４と６を参照すると、保持対５は第１バスバーを支持するように設計され、一方、隣接する保持対６は第１バスバーに隣接する第２バスバーを支持するように設計されている。同じ構造が、さらに隣接するバスバーに対して繰り返される。
【００５０】
図３と５を参照すると、この発明の、コンパートメントを仕切りバスバーを支持する装置１，２のさらに別の特徴が、次の事実によって与えられる。それは、第２表面１２，２２が、電気装置２０５とバスバー２０４との間に、コンパートメントを仕切りバスバーを支持する装置１，２を介して接続手段、例えば、クランプを挿入できるように構成された複数の開口７を備えるということである。開口７の形状と寸法は、必要に応じて、例えば、固定クランプの形状、寸法、及び数に応じて変えることができる。
【００５１】
実際には、絶縁本体３,４の第１表面１１,２１が配電盤のバスバーコンパートメントの方を向き、第２表面１２，２２が配電盤の装置コンパートメントの方を向いているので、この発明のコンパートメントを仕切りバスバーを支持する装置１，２は、バスバー２０４を（保持対５,６を介して）支持し、かつ、低電圧配電盤２００のバスバーコンパートメントと装置コンパートメントとの間に効果的な絶縁仕切り壁を形成するという２つの機能を有する。
添付図に示すように、この発明の、コンパートメントを仕切りバスバーを支持する装置１，２の好ましい実施形態において、絶縁本体３,４の第１表面１１，２１は、特定のバスバー２０４のために複数の保持対５,６を備えるが、それらは第１対向面３１，４１と第２対向面３２，４２に平行な方向に沿って間隔を有する。実際には、第１対向面３１，４１および第２対向面３２，４２に平行な第１表面１１，２１に沿って延びる連続的な保持対を有する代わりに、間隔を有する多数の保持対を有して、それによってバスバーの別々の点で効果的な支持機能を発揮することが好ましい。そのような対応策は、所定のバスバーの上端から下端までの連続する支持手段に対して、材料と関連費用の著しい節約を可能にする。
【００５２】
この発明のコンパートメントを仕切ってバスバーを支持する装置１，２の代表的な実施形態において、保持対５,６の第１保持手段５１,６１と第２保持手段５２,６２は、互いに対向してバスバー２０４用の保持スペース５３,６３を形成する第１保持面５１１，６１１と第２保持面５２１，６２１を有する第１および第２保持歯を、それぞれ備える。
【００５３】
第１保持手段５１,６１および第２保持手段５２,６２の支持および保持動作は、種々の方法で実行可能である。
【００５４】
この発明の、コンパートメントを仕切ってバスバーを支持する装置１,２の単純であるが有力な実施形態において、第１保持面５１１,６１１および第２保持面５２１,６２１は、第１保持面５１１,６１１および第２保持面５２１,６２１とバスバー２０４の表面との間の機械的な干渉（衝突）によって、対応するバスバー２０４を適所に支持して保持するように構成可能である。実際、第１保持面５１１,６１１と第２保持面５２１,６２１とを適当な形にすることにより、システムが種々の寸法（例えば、０,８０,１００,１２０ｍｍ）のバスバーを使用できるようになり、それによって、この発明の、コンパートメントを仕切ってバスバーを支持する装置１,２の使用上の融通性が増大する。バスバーの形状と寸法に依存して、バスバーを有するこの発明の装置１,２の他の結合システム（例えば、クリップやスナップ嵌合など）は、必要に応じて工夫することができる。
【００５５】
この発明の、コンパートメントを仕切ってバスバーを支持する装置１,２の特定の実施形態において、絶縁本体３,４の第１表面１１,２１は、バスバー２０４間の絶縁分離体２１０用の複数の固定手段８を備えることができる。そのような対応策は、位相間の絶縁を改良させ、配電盤が内部の電弧（アーク）現象に耐えられるようにすることができる。
【００５６】
代表的な実施形態として、固定手段８は、複数の固定歯８１,８２を都合よく備えるが、それらは第１対向面３１,４１と第２対向面３２,４２に平行な方向に沿って間隔を有する。固定手段のための他の対応策も、必要に応じて可能である。
【００５７】
この発明の、コンパートメントを仕切ってバスバーを支持する装置１,２のさらに好ましい実施形態において、複数の開口７のいくつか、好ましくは、全ては、絶縁本体３,４の第２表面１２,２２から突出し開口７を囲む隆起エッジ７１を備える。隆起エッジ７１の存在によって電気装置とバスバーとの間の接触領域が保護され、位相間の空間距離（空隙）が増大し、予期せぬ電弧（アーク）の発生が回避される。
【００５８】
この発明の、コンパートメントを仕切ってバスバーを支持する装置１,２のさらに好ましい実施形態において、絶縁本体３,４の第１対向面３１,４１と第２対向面３２,４２は、瞬時結合手段９を備えるが、瞬時結合手段９は、低電圧配電盤２００の支持構造２０１の垂直支柱２０２又は水平横桟２０３の一方に装置１,２を迅速かつ容易に接続させ、それによって低電圧配電盤２００において、コンパートメントを仕切ってバスバーを支持する装置１,２を迅速かつ容易に組み立てることができる。
【００５９】
代表的な実施形態として、瞬時結合手段９は、成形された突出部を都合よく備えることができるが、その突出部は低電圧配電盤２００の支持構造２０１の垂直支柱２０２又は水平横桟２０３の一方の対応スロット９１に係合するように構成されている。
【００６０】
前述のように、この発明の、コンパートメントを仕切ってバスバーを支持する装置１,２の顕著な特徴の１つは、バスバーコンパートメントと装置コンパートメントとの間に垂直な仕切りと支持壁を造るためにのみならず、バスバーの上端と下端を支持するために装置１,２を配電盤の頂上部と底部に水平に搭載するためにそれを使用できることである。
【００６１】
そのような場合に、コンパートメントを仕切ってバスバーを支持する装置１,２の絶縁本体３,４は、都合よく複数の保護タブ１０を備えるが、保護タブ１０は絶縁本体３,４の第３対向面３３,４３に沿って間隔を有する。保護タブ１０は、コンパートメントを仕切ってバスバーを支持する装置１ａ,１ｂ,２ａ,２ｂが低電圧配電盤２００の頂上部又は底部に搭載されるとき、対応するバスバー２０４を保護するように都合よく構成される。
【００６２】
図７〜１４を参照すると、この発明の低電圧配電盤２００における完全なバスバーのアセンブリ（図７〜１２）は、この発明の複数の、コンパートメントを仕切ってバスバーを支持する装置１から作られた仕切り壁２０６を都合よく備えるが、それらの装置１は互いに垂直に積み重ねられ、低電圧配電盤２００の前側でバスバー２０４と電気機器２０５との間に垂直な絶縁壁を形成する。
【００６３】
仕切り壁２０６は、複数の、コンパートメントを仕切ってバスバーを支持する装置１を、低電圧配電盤２００の支持構造２０１の垂直支柱２０２に固定することにより、例えば、絶縁本体３,４の第１対向面３１,４１および第２対向面３２,４２上に設置された突出部９を、垂直支柱２０２の対応スロット９１に係合させることにより、都合よく実現される。
【００６４】
従って、図１３に示すように、この発明による低電圧配電盤２００は、バスバー２０４のコンパートメントと電気装置２０５のコンパートメントとを備えるが、それらのコンパートメントは、互いに垂直に積み重ねられた、複数の、コンパートメントを仕切ってバスバーを支持する装置１から全体的に作られた連続する仕切り壁２０６によって分離されている。それ故、連続する仕切り壁２０６は、バスバー２０４を支持することと、２つのコンパートメントを分離することの２つの目的を有するが、同時に、コンパートメントを仕切ってバスバーを支持する装置１,２の開口７を介してバスバー２０４に電気装置２０５を接続することができる。
【００６５】
バスバーアセンブリは、低電圧配電盤２００の頂上部に設置された少なくとも第１の、コンパートメントを仕切ってバスバーを支持する装置１ａ,２ａと、低電圧配電盤２００の底部に設置された少なくとも第２の、コンパートメントを仕切ってバスバーを支持する装置１ｂ,２ｂとを、さらに備える。
【００６６】
頂上部と底部の支持閉鎖部材は、低電圧配電盤２００の支持構造２０１の頂上部に設置された水平横桟２０３上に少なくとも第１の、コンパートメントを仕切ってバスバーを支持する装置１ａ,２ａを固定し、低電圧配電盤２００の支持構造２０１の底部に設置された水平横桟２０３上に少なくとも第２の、コンパートメントを仕切ってバスバーを支持する装置１ｂ,２ｂを固定することによって都合よく実現できる。
【００６７】
第１と第２の、コンパートメントを仕切ってバスバーを支持する装置１ａ,２ａ,１ｂ,２ｂの固定は、例えば、絶縁本体の第１対向面３１,４１と第２対向面３２,４２上に設置された突出部９を水平横桟２０３の対応スロットに係合することによって行うことができる。
【００６８】
さらに、低電圧配電盤２００のバスバーアセンブリは、この発明による複数の、コンパートメントを仕切ってバスバーを支持する装置１,２を有する壁２０７をさらに備えるが、その装置１,２は低電圧配電盤２００の垂直方向に沿って間隔を有する。仕切り壁２０６と違って、バスバーコンパートメントの裏壁２０７は、コンパートメントを仕切ってバスバーを支持する装置１によって完全には閉じられず、部分的に開放され、そのような裏壁２０７に用いられる、コンパートメントを仕切ってバスバーを支持する装置１の数は、その必要性に依存する。
【００６９】
仕切り壁２０６に対して、裏壁２０７も、複数の、コンパートメントを仕切ってバスバーを支持する装置１を、低電圧配電盤２００の支持構造２０１の垂直支柱２０２に固定することにより、例えば、絶縁本体３,４の第１対向面３１,４１および第２対向面３２,４２上に設置された突出部９を、垂直支柱２０２の対応スロット９１に係合させることにより、都合よく実現される。
【００７０】
図１１と１２を参照すると、ここに開示される、コンパートメントを仕切ってバスバーを支持する装置１によって得ることができる更なる利点は、既に引用した図に明示されるように、同じ列内に２つの垂直配電システムを搭載する可能性によって与えられる。
【００７１】
ここに開示された、コンパートメントを仕切ってバスバーを支持する装置が、低電圧配電盤と同様に、意図された目的を十分に達成し、上記で強調された既存の装置や配電盤の問題点を解決するということは、上記の記載から明らかである。
【００７２】
実際、この発明による、コンパートメントを仕切ってバスバーを支持する装置は、必要な構成部品の数を、著しく減少させるが、それは、バスバーコンパートメントの全側面においてコンパートメントを仕切る機能とバスバーを支持する機能とを１つの同じ装置で達成し、同時に、コンパートメントを仕切ってバスバーを支持する装置の開口を介して電気装置をバスバーに瞬時に接続する可能性を維持することができるからである。これは、図２と１５とを比較することによって容易に理解することができる。
【００７３】
既に指摘したように、組み立て処理は、コンパートメントを仕切ってバスバーを支持する装置を配電盤の支持機構に固定するために瞬時結合手段が使用されるので、非常に単純化される。
【００７４】
さらに、そのシステムは、種々の寸法（６０,８０,１００,１２０ｍｍ）及び／又は種々の間隔を有するバスバーを用いることができるので、非常に融通性がある。
【００７５】
コンパートメントを仕切ってバスバーを支持する装置に対してだけでなく、そのような、コンパートメントを仕切ってバスバーを支持する装置を備える低電圧配電盤に対しても同様に、いくつかの変形を作ることができるが、その全ては、添付された特許請求の範囲の範囲内に収まる。実際には、使用される材料及び付随する寸法と形状は、要求と技術の状態により、どのようにでもすることができる。
【符号の説明】
【００７６】
１ａ,１ｂ,２ａ,２ｂ  コンパートメントを仕切ってバスバーを支持する装置
３,４  絶縁本体
５,６  保持対
７  開口
８  固定手段
９  瞬時結合手段、突出部
１０  保護タブ  
１１,２１  第１表面
１２,２２  第２表面
３１,４１  第１対向面
３２,４２  第２対向面
３３,４３  第３対向面
３４,４４  第４対向面
５１  第１保持手段
５２  第２保持手段
５３  保持スペース
６１  第１保持手段
６２  第２保持手段
６３  保持スペース
７１  隆起エッジ
８１,８２  固定歯
９１  対応スロット
１００  配電盤
１０１  基部
１０２  頂上部
１０３  支柱
１０４  プレート
１０５  コンパートメント
１０６  バスバー
１０７  前方支持体
１０８  前方搭載ブラケット
１０９  後方支持体
１１０  後方搭載ブラケット
１１１  ねじ
２００  低電圧配電盤
２０１  支持構造
２０２  支柱
２０３  横桟
２０４  バスバー
２０５  電気装置
２０６  仕切り壁
２０７  壁、裏壁
２１０  絶縁分離体
５１１,６１１  第１保持面
５２１,６２１  第２保持面
【図１】
2019050721.tif 000003
【図２】
2019050721.tif 000004
【図３】
2019050721.tif 000005
【図４】
2019050721.tif 000006
【図５】
2019050721.tif 000007
【図６】
2019050721.tif 000008
【図７】
2019050721.tif 000009
【図８】
2019050721.tif 000010
【図９】
2019050721.tif 000011
【図１０】
2019050721.tif 000012
【図１１】
2019050721.tif 000013
【図１２】
2019050721.tif 000014
【図１３】
2019050721.tif 000015
【図１４】
2019050721.tif 000016
【図１５】
2019050721.tif 000017